(57)【要約】【課題】  携帯用のパソコン、汎用のパソコンでも防災に関わる危険エリア等を容易に提供でき、かつこのエリアを色で区別させると共に、不安感を与えないプログラム、このプログラムを記憶した記憶媒体及びシステムを得る。【解決手段】  この記憶媒体１（ＣＤ、ＤＶＤ）のプログラムは、航空写真及び地図をすかし画像で提供するプログラムであり、図１に示すようにディスクトップ（モバイルでもかまわない；ＭＳＤＯＳ機能、マルチウインドウ機能、マルチタスク機能等）型パソコン２にインストールされて使用させる。  本システムは、ラスターで表現されている地図ソフトと、航空写真（オルソフォト）と、注意エリアとを重ねると共に、これらの地図、写真、注意エリアが一目で見える形式で画面表示する。【選択図】      図１
2005221883.tif 000002
【特許請求の範囲】
【請求項１】
特定地域の地図、オルソフォト画像をラスターデータで保存し、これらのラスターデータに砂防関連情報に基づく注意エリアを重ね表示させる一方、前記地図、オルソフォト画像を薄く表示させる砂防関連情報の閲覧用のプログラムを記憶した記憶媒体であって、
コンピュータを、
緯度経度を平面直角座標で示した特定地域の地図情報をラスターデータで示し、このラスターデータの地図情報を、該地図情報の尺度以下の第１の尺度で投射した第１の地図データを第１のメモリに記憶させておく手段、
前記第１の地図データの内で、前記オルソフォト画像が存在する所定地区の地図を前記オルソフォト画像の解像度に対応する第２の尺度（第１の尺度＞第２の尺度で投射した第２の地図データを前記ラスターデータの形式で前記所定地区にリンク付けして第２のメモリに記憶させておく手段、
前記所定地区の航空写真を前記第２の尺度に対応する前記解像度に基づくオルソフォト画像に変換し、これを前記ラスターデータの形式で前記第２の地図データにリンク付けして第３のメモリに記憶しておく手段、
予め記憶されている前記各地図、オルソフォト画像の色濃度を変更させるためのスケールを有する操作ツールボックスを表示し、前記スケールのバーの操作を位置を知らせる手段、
前記第１のメモリから第１の地図データを読み出し、これを第１の地図として画面に表示させ、該第１の地図上で、位置の指定が発生したとき、前記第２のメモリから前記第２の地図データを読み出し、これを第２の地図として前記第１の地図上に表示する形式で前記画面に出力する手段、
前記第２の地図上で、前記オルソフォト画像の表示指定が入力したとき、前記第３のメモリのオルソフォト画像を読み出して前記第２の地図上に表示する形式で出力する手段、
前記第１の地図、第２の地図又はオルソフォト画像が出力されたとき、前記スケールのバーの位置を濃度値に変換し、この色濃度に応じて第１の地図、第２の地図又はオルソフォト画像の色濃度が薄くなるように変更して前記画面に出力する手段、
として機能させるための砂防関連情報の閲覧用のプログラムを記憶した記憶媒体。
【請求項２】
前記砂防関連情報は、土砂災害特別警戒区域、土砂災害警戒区域、土石流氾濫想定区域、土石流危険渓流区域、崖崩れ危険区域、地滑り危険区域であり、
前記コンピュータを、
これらの区域の座標データを前記第２の地図データの直角座標系で定義し、かつ区域の種類に応じた色濃度を割り付け、これを前記注意エリアのデータとして第４のメモリに保存する手段、
前記第４のメモリから前記注意エリアのデータを入力し、この情報の色濃度を予め設定されている３０％〜８０％の色濃度に変更して前記オルソフォト画像上に重ね表示させる形式で前記画面に表示する手段、
として機能させるための請求項１記載の砂防関連情報の閲覧用のプログラムを記憶した記憶媒体。
【請求項３】
前記第１の地図の第１の尺度は、３万分１で、前記第２の地図の第２の尺度は、１万分の１であり、
前記第２のメモリの前記第２の地図データの読み出しは、
前記画面の第１の地図上で、位置指定があったとき、前記第１の尺度を読み込み、該読み込んだ尺度に基づく平面直角座標系に、前記指定位置のピクセル座標を変換した第１の座標値を出力する手段と、
前記第２の地図の大きさ以下の範囲にされ、該範囲の第２の地図データのラスターデータを前記抽出するウインドウと、
を有し、
前記第１の座標値を読み、該第１の座標値を前記第２の地図データに定め、該定めた位置に前記ウインドウの中心を移動させる手段と
で実行することを特徴とする請求項１又は２記載の砂防関連情報の閲覧用のプログラムを記憶した記憶媒体。
【請求項４】
前記第１の地図データの読み出しは、
前記特定地域を含む大地図領域を前記第１の尺度以上の一定尺度（一定尺度＞第１の尺度）のラスターデータで保存して、この大地図を画面に表示し、該大地図上において前記特定地域が指定されたときに、前記第１の地図データを読み出すことを特徴とする請求項１、２又は３記載のいずれかに記載の砂防関連情報の閲覧用のプログラムを記憶した記憶媒体。
【請求項５】
前記オルソフォト画像の解像度は前記第２の尺度に対応した１万分の１の解像度であり、
前記オルソフォト画像の読み出しは、
前記第１の座標値を読み、該第１の座標値を前記第３のメモリのオルソフォト画像の領域に定め、該定めた位置に前記ウインドウの中心を移動させる手段によって実行することを特徴とする請求項１、２、３又は４記載のいずれかに記載の砂防関連情報の閲覧用のプログラムを記憶した記憶媒体。
【請求項６】
前記操作ツールボックスは、前記スケールを間にして、前記第２の地図、オルソフォト画像を表示させるためのボタンを備えさていることを特徴とする請求項１記載の砂防関連情報の閲覧用のプログラムを記憶した記憶媒体。
【請求項７】
特定地域の地図、オルソフォト画像をラスターデータで保存し、これらのラスターデータに砂防関連情報に基づく注意エリアを重ね表示させる一方、前記地図、オルソフォト画像を薄く表示部に表示させる砂防関連情報閲覧用システムであって、
緯度経度を平面直角座標で示した特定地域の地図情報をラスターデータで示し、このラスターデータの地図情報を、該地図情報の尺度以下の第１の尺度で投射した第１の地図データを記憶した第１のメモリと、
前記第１の地図データの内で、前記オルソフォト画像が存在する所定地区の地図を前記オルソフォト画像の解像度に対応する第２の尺度（第１の尺度＞第２の尺度で投射した第２の地図データを前記ラスターデータの形式で前記所定地区にリンク付けして記憶した第２のメモリと、
前記所定地区の航空写真を前記第２の尺度に対応する前記解像度に基づくオルソフォト画像に変換し、これを前記ラスターデータの形式で前記第２の地図データにリンク付けして保存した第３のメモリと、
予め記憶されている前記各地図、オルソフォト画像の色濃度を変更させるためのスケールを有する操作ツールボックスを表示し、前記スケールのバーの操作を位置を知らせる手段と、
前記第１のメモリから第１の地図データを読み出し、これを第１の地図として画面に表示させ、該第１の地図上で、位置の指定が発生したとき、前記第２のメモリから前記第２の地図データを読み出し、これを第２の地図として前記第１の地図上に表示する形式で前記画面に出力する手段と、
前記第２の地図上で、前記オルソフォト画像の表示指定が入力したとき、前記第３のメモリのオルソフォト画像を読み出して前記第２の地図上に表示する形式で出力する手段と、
前記第１の地図、第２の地図又はオルソフォト画像が出力されたとき、前記スケールのバーの位置を濃度値に変換し、この色濃度に応じて第１の地図、第２の地図又はオルソフォト画像の色濃度が薄くなるように変更して前記画面に出力する手段と
を有することを特徴とする砂防関連情報閲覧用システム。
【請求項８】
前記砂防関連情報は、土砂災害特別警戒区域、土砂災害警戒区域、土石流氾濫想定区域、土石流危険渓流区域、崖崩れ危険区域、地滑り危険区域であり、
これらの区域の座標データを前記第２の地図データの直角座標系で定義し、かつ区域の種類に応じた色濃度を割り付けて前記注意エリアのデータとして記憶した第４のメモリと、
前記第４のメモリから前記砂防関連情報を入力し、この情報の色濃度を予め設定されている３０％〜８０％の色濃度に変更して前記オルソフォト画像上に重ね表示させる形式で前記画面に表示させる手段と、
とを有することを特徴とする請求項７記載の砂防関連情報閲覧用システム。
【請求項９】
前記第２のメモリの前記第２の地図データの読み出しは、
前記画面の第１の地図上で、位置指定があったとき、前記第１の尺度を読み込み、該読み込んだ尺度に基づく平面直角座標系に、前記指定位置のピクセル座標を変換した第１の座標値を出力する手段と、
前記第２の地図の大きさ以下の範囲にされ、該範囲の第２の地図データのラスターデータを前記抽出するウインドウと、
前記第１の座標値を読み、該第１の座標値を前記第２の地図データに定め、該定めた位置に前記ウインドウの中心を移動させる手段と
を有することを特徴とする請求項７又は８記載の砂防関連情報閲覧用システム。
【請求項１０】
前記第１の地図データの読み出しは、
前記特定地域を含む大地図領域を前記第１の尺度以上の一定尺度（一定尺度＞第１の尺度）のラスターデータで保存して、この大地図を画面に表示し、該大地図上において前記特定地域が指定されたときに、前記第１の地図データを読み出すことを特徴とする請求項７、８又は９記載のいずれかに記載の砂防関連情報閲覧用システム。
【請求項１１】
前記オルソフォト画像の読み出しは、
前記第１の座標値を読み、該第１の座標値を前記第３のメモリのオルソフォト画像の領域に定め、該定めた位置に前記ウインドウの中心を移動させる手段によって実行することを特徴とする請求項７、８、９又は１０記載のいずれかに記載の砂防関連情報閲覧用システム。
【発明の詳細な説明】
【技術分野】
【０００１】
本発明は、汎用の一般的なパソコンであっても、ＤＶＤ、ＣＤ等の記憶媒体に保存されたいる地図、オルソフォト画像、砂防関連情報に基づく注意エリアを重ね表示するプログラムを記憶した記憶媒体及びシステムに関する。
【背景技術】
【０００２】
地図を表示する装置に地理情報システム（Ｇｅｏｇｒａｐｈｉｃ  Ｉｎｆｏｒｍａｔｉｏｎ  Ｓｙｓｔｅｍ：以下ＧＩＳという）というのがある。このＧＩＳにおける地図データは、建物界、道路界、河川界等からなり、それぞれのデータがベクターデータとラスタデータとで構成され、かつ緯度経度が割り振られている。
【０００３】
このようなＧＩＳは、多くの地域の情報をラスタとベクターで格納しており、高精度の地図表示が可能である。
【０００４】
このようなＧＩＳを利用した出願に特開２００３−３０７５７１号（特許文献１）の地域別地震災害状況予測検索システムがある。
【０００５】
このシステムは、ラスターデータである地域画像情報を取り込み画面に表示させ、背景地図を削除して輪郭を抽出し、この輪郭内部を重み付けによって色別表示している。
【特許文献１】特開２００３−３０７５７１号公報
【発明の開示】
【発明が解決しようとする課題】
【０００６】
しかしながら、ＧＩＳは多くの地域をラスターデータとベクターデータとでなるデータで表現するものであるから、データ量が多いので、汎用のパソコン、携帯パソコンでＧＩＳの地図、写真等を表示するには適さないという課題があった。
【０００７】
また、地域で災害にかかわる危険エリアをみる場合には、あまりに詳細に提供すると、自分の家屋等が入っていることがはっきりとわかり逆に不安感を与えるので、１万分の１程度の解像度のものが好ましい。
【０００８】
しかしながら、このようなものであってもＧＩＳを用いた場合は、１万分の１以下の解像度で危険エリアを提供することができるので、ユーザに不安感を与える場合があるという課題があった。
【０００９】
本発明は以上の課題を解決するためになされたもので、ＭＳＤＯＳ機能、マルチウインドウ機能、ブラウザ機能を有する携帯用のパソコン、汎用のパソコンでも防災に関わる危険エリア等を容易に提供でき、かつこのエリアを色で区別させると共に、不安感を与えないプログラム、このプログラムを記憶した記憶媒体及びシステムを得ることを目的とする。
【課題を解決するための手段】
【００１０】
本発明は、特定地域の地図、オルソフォト画像をラスターデータで保存し、これらのラスターデータに砂防関連情報に基づく注意エリアを重ね表示させる一方、前記地図、オルソフォト画像を薄く表示させる砂防関連情報の閲覧用のプログラムを記憶した記憶媒体である。
【００１１】
コンピュータを、
緯度経度を平面直角座標で示した特定地域の地図情報をラスターデータで示し、このラスターデータの地図情報を、該地図情報の尺度以下の第１の尺度で投射した第１の地図データを第１のメモリに記憶させておく手段、前記第１の地図データの内で、前記オルソフォト画像が存在する所定地区の地図を前記オルソフォト画像の解像度に対応する第２の尺度（第１の尺度＞第２の尺度で投射した第２の地図データを前記ラスターデータの形式で前記所定地区にリンク付けして第２のメモリに記憶させておく手段、前記所定地区の航空写真を前記第２の尺度に対応する前記解像度に基づくオルソフォト画像に変換し、これを前記ラスターデータの形式で前記第２の地図データにリンク付けして第３のメモリに記憶しておく手段、予め記憶されている前記各地図、オルソフォト画像の色濃度を変更させるためのスケールを有する操作ツールボックスを表示し、前記スケールのバーの操作を位置を知らせる手段、前記第１のメモリから第１の地図データを読み出し、これを第１の地図として画面に表示させ、該第１の地図上で、位置の指定が発生したとき、前記第２のメモリから前記第２の地図データを読み出し、これを第２の地図として前記第１の地図上に表示する形式で前記画面に出力する手段、前記第２の地図上で、前記オルソフォト画像の表示指定が入力したとき、前記第３のメモリのオルソフォト画像を読み出して前記第２の地図上に表示する形式で出力する手段、前記第１の地図、第２の地図又はオルソフォト画像が出力されたとき、前記スケールのバーの位置を濃度値に変換し、この色濃度に応じて第１の地図、第２の地図又はオルソフォト画像の色濃度が薄くなるように変更して前記画面に出力する手段、として機能させるための砂防関連情報の閲覧用のプログラムを記憶した記憶媒体である。
【００１２】
また、本発明は、特定地域の地図、オルソフォト画像をラスターデータで保存し、これらのラスターデータに砂防関連情報に基づく注意エリアを重ね表示させる一方、前記地図、オルソフォト画像を薄く表示部に表示させる砂防関連情報閲覧用システムである。
【００１３】
緯度経度を平面直角座標で示した特定地域の地図情報をラスターデータで示し、このラスターデータの地図情報を、該地図情報の尺度以下の第１の尺度で投射した第１の地図データを記憶した第１のメモリと、前記第１の地図データの内で、前記オルソフォト画像が存在する所定地区の地図を前記オルソフォト画像の解像度に対応する第２の尺度（第１の尺度＞第２の尺度で投射した第２の地図データを前記ラスターデータの形式で前記所定地区にリンク付けして記憶した第２のメモリと、前記所定地区の航空写真を前記第２の尺度に対応する前記解像度に基づくオルソフォト画像に変換し、これを前記ラスターデータの形式で前記第２の地図データにリンク付けして保存した第３のメモリと、予め記憶されている前記各地図、オルソフォト画像の色濃度を変更させるためのスケールを有する操作ツールボックスを表示し、前記スケールのバーの操作を位置を知らせる手段と、前記第１のメモリから第１の地図データを読み出し、これを第１の地図として画面に表示させ、該第１の地図上で、位置の指定が発生したとき、前記第２のメモリから前記第２の地図データを読み出し、これを第２の地図として前記第１の地図上に表示する形式で前記画面に出力する手段と、前記第２の地図上で、前記オルソフォト画像の表示指定が入力したとき、前記第３のメモリのオルソフォト画像を読み出して前記第２の地図上に表示する形式で出力する手段と、前記第１の地図、第２の地図又はオルソフォト画像が出力されたとき、前記スケールのバーの位置を濃度値に変換し、この色濃度に応じて第１の地図、第２の地図又はオルソフォト画像の色濃度が薄くなるように変更して前記画面に出力する手段とを備えたことを要旨とする。  
【発明の効果】
【００１４】
以上のように、本発明によれば、第１の地図、第１の地図に対して尺度が小さい第２の尺度（高度が低い）の第２の地図、第２の尺度に対応する解像度のオルソフォト画像をラスターデータで保存し、これらのラスターデータに砂防関連情報に基づく注意エリアを保存して、これらのラスターデータを用いて砂防関連情報に基づく注意エリアを重ね表示させる一方、地図、オルソフォト画像、注意エリアを薄く表示させる。
【００１５】
すなわち、地図、オルソフォト画像をラスターデータで扱わせることになるので、ＭＳＤＯＳ機能、マルチウインドウ機能、ブラウザ機能等を有するＷｉｎｄｏｗｓ（登録商標）のパソコン、携帯パソコンで地図、写真等を表示することができていると共に、オルソフォト画像は１万の１の解像度であるので、注意エリアは薄く重ね表示させるので、自分の家が入っていることがはっきりとわからないので、不安感の抑制になる。
【発明を実施するための最良の形態】
【００１６】
図１は本実施の形態の記憶媒体のプログラムの概略構成図である。この記憶媒体１（ＣＤ、ＤＶＤ）のプログラムは、航空写真及び地図をすかし画像で提供するプログラムであり、図１に示すようにディスクトップ（モバイルでもかまわない；ＭＳＤＯＳ機能、マルチウインドウ機能、マルチタスク機能等）型パソコン２にインストールされて使用される。
【００１７】
本システムは、都道府県の所有する防災関連情報（土砂災害、特別警戒区域、土砂災害危険個所等）を住民や関係者に効果的に提供する。
【００１８】
すなわち、ラスターで表現されている地図ソフトと、航空写真（オルソフォト）と、注意エリアとを重ねると共に、これらの地図、写真、注意エリアが一目で見える形式で画面表示する。
【００１９】
図１においては、記憶媒体１には以下に説明するファイルを備えている。
【００２０】
（ファイルの構成）
例えば、緯度経度に対応した平面直角座標系で定義された県の地図データ（大地図ともいう：ラスターデータ）を保存した大地図フォルダ５と、県の地図を１／２０万の尺度で表現し、これを一定区域毎のラスターデータで格納した１／２０万地域地図フォルダ６ａと、県の地図を１／３万の縮尺で表現し、これを一定区域毎のラスターデータで格納した１／３万地域地図フォルダ６ｂと、県の地図を１／１万の尺度で表現し、これを一定区域毎のラスターデータで格納した１／１万地域地図フォルダ６ｃとを備えている。
【００２１】
また、県の各区域の航空写真を１／１万の解像度で表現し、これらの航空写真の画素を地図座標で定めたオルソフォト画像（解像度２．５ｍ：１／１万の解像度）を格納した写真フォルダ８とを備えている。
【００２２】
さらに、本実施の形態では、２５００分の１の地図（直角平面座標）の座標系に注意エリアの軌跡を定義し、これをフォルダ９に格納している。この注意エリアは、地域名毎に備えることが好ましい。
【００２３】
前述の注意エリアは、土砂災害特別警戒区域、土砂災害警戒区域、土石流氾濫想定区域、土石流危険渓流区域、がけ崩れ危険区域、地滑り危険区域等からなる。  そして、これらの軌跡には、色データが割り振られている。例えば、土砂災害特別警戒区域はオレンジ、土砂災害警戒区域はイエロー、土石流氾濫想定区域は緑、土石流危険渓流区域は白、がけ崩れ危険区域は茶色、地滑り危険区域は白が割り振られている。ただし、透けて見えるようにそれぞれの色の濃度値は、例えば４０％〜７０％にされている。
【００２４】
さらに、記憶媒体１には上記地図及びオルソフォト画像を用いる下記のソフトを備えている。
【００２５】
図１に示すように、地図・写真読出部１０と、すかし部１１と、濃度スケール表示部１３と、色濃度補正部１２、注意エリア出力部１５等を備えている。
【００２６】
地図・写真読出部１０は、起動に伴って大地図を読み出して画面に表示させ、地域名（市、町、区、丁名、群等：サブ画面で選択表示）が入力すると、該当の２０万分の１の地図を表示させ、地図表示が選択されているときに、クリック回数と画面のカーソル位置とを読み、クリック回数が２回のときには、表示している画面（２０万分の１）の地図の尺度に基づいて、その地図上におけるカーソルの座標を求め、この座標が含む次の尺度（３万分の１）の地域地図フォルダ６ｂを引き当て、このフォルダ６ｂに保存されている前述の座標を有する地図フィル（３万分の１）を引き当てる。そして、求めた座標を中心にして、この３万分の１の地図を画面に表示させる。また、３万分の１の地図を表示しているときに、さらにクリック回数が２回のときは、表示している画面（３万分の１）の尺度に基づいて、その画面上におけるカーソルの座標を求め、この座標が含む次の解像度（１万分の１）の地域地図フォルダ６ｃを引き当て、このフォルダ６ｂに保存されている前述の座標を有する地図（１万分の１）を引き当てる。そして、求めた座標を中心にした１万分の１の地域地図を表示させる（図２参照）。
【００２７】
また、地図・写真読出部１０は、１万分の１の地図が表示されているかどうかを判断し、１万分の１の地図が表示されていないときは、写真ボタン（図示せず）を使用不可にさせるコマンドをスケール表示部１３に出力する。
【００２８】
また、１万分１の地図を表示させているときには、写真ボタンを使用許可状態にさせるコマンドをスケール表示部１３に出力する。
【００２９】
そして、１万分１の地図を表示させているときに、写真ボタンが選択されたときは、画面に表示させている１万分の１の地図の地域（フォルダ）を判断し、この地域にリンク付けされているオルソフォト画像を画面に表示させる。
【００３０】
すかし部１１は、スケール表示部１３で地図ボタンが選択されて、地図・写真読出部１０から地図データ（１万分の１、３万分の１、３０万分の１）が出力されたときは、この地図データの各画素の濃度をスケール表示部１３のスケール値に基づく濃度にそれぞれ変換して表示部に出力する。例えば、０％〜１００％の濃度にする。０％では、地図は見えなくなり、５０％では薄く見える。
【００３１】
また、すかし部１１は、写真ボタンが選択されて、地図・写真読出部１０から写真データ（１万分の１）が出力されたときは、この写真データ（ラスターデータ）の各画素の濃度をスケール表示部１３のスケール値に基づく濃度にそれぞれ変換して表示部に出力する。例えば、０％〜１００％の濃度にする。０％では、写真は見えなくなり、５０％では薄く見える。
【００３２】
また、注意エリア出力部１５は、注意エリアの表示ボタン（区域表示：注意エリアの種類）が選択されたとき、地図・写真読出部１０から地域名を読み、この地域名にリンク付けされている、表示ボタンの注意エリア種類（土砂災害特別警戒区域、土砂災害警戒区域、土石流氾濫想定区域、土石流危険渓流区域、がけ崩れ危険区域、地滑り危険区域、全部）を読み込み、地図・写真読出部１０で表示させた地図の尺度（１／２０万、１／３万、１／１万）又はオルソフォト画像の解像度（１万分の１）に基づくピクセル座標に座標変換して表示部に出力する。ただし、土砂災害特別警戒区域、土砂災害警戒区域（総称して警戒区域ともいう）の輪郭は濃い濃度で表示する。
【００３３】
つまり、注意エリアの界と、オルソフォトの界と、地図界とからなるラスターデータを重ね表示されることになり、図３に示すように、オルソフォト、地図はすかし部１１によって薄く表示させることになる。
【００３４】
図４は、図１の砂防関連情報の表示のためのプログラムの詳細構成図である。図５は、スケールバーを説明する説明図である。このスケールバーは、図示しない航空写真ボタンによって表示される。図５に示すように地図ボタン１３ａと、スケール１３ｂと、スケール１３ｂのレバー１３ｃと、写真ボタン１３ｄと、拡大・縮小ボタン１３ｅと、区域表示ボタン１３ｆと、１万分の１の写真ボタン１３ｇ等からなる。
【００３５】
地図ボタン１３ａは、地図の濃度をレバー１３ｃの移動によって変更するときに選択するボタンであり、地図ボタン１３ｃを選択してからレバー１３ｃを移動させる。
【００３６】
写真ボタン１３ｄは写真（オルソフォト）の濃度をレバー１３ｃの移動によって変更するときに選択するボタンであり、写真ボタン１３ｄを選択してからレバー１３ｃを移動させる。
【００３７】
区域表示ボタン１３ｆは、土砂災害特別警戒区域、土砂災害警戒区域、土石流氾濫想定区域、土石流危険渓流区域、がけ崩れ危険区域、地滑り危険区域、全部を表示させるために選択される。
【００３８】
１／１万分の写真ボタン１３ｇは、地図（１／３０万、１／３万、１／１万）が表示されているときに、保存している１万分の１のオルソフォト画像を直ちに表示させるためのボタンである。
【００３９】
図４に示すように、大地図フォルダ５と、１／２０万区域地図フォルダ６ａと、１／３万地域地図フォルダ６ｂと、１／１万地域地図フォルダ６ｃと、写真フォルダ８とを備えている。これらのデータは図６に示すように、１／２０万の地域地図と１／３万の地域地図と、１／１万分の地域地図とがリンク付けされており、１／１万の地域地図には、１／１万の解像度のオルソフォト画像がリンク付けされている。
【００４０】
初期画面表示部１８は、起動に伴って大地図フォルダ５から大地図（所定の県を中心とした一定範囲の地図）を読み出して、これを表示部２０に表示させる。  座標変換部１９は、地図読出部１０ａで読み込んだ地図の尺度又は航空写真読出部１０ｂで読み込んだ解像度と、画面のカーソル位置とを読み、このカーソル位置の座標を前述の尺度又は解像度に基づく平面直角座標に変換する。
【００４１】
地図読出部１０ａは、地域名（市、町、区、丁名、群等：サブ画面で選択表示）が入力すると、該当の２０万分の１の地図を表示させると共に、この尺度を座標変換部１９に出力し、地図表示が選択されているときに、クリック回数と座標変換部１９からのカーソルの座標とを読み、クリック回数が２回のときには、カーソルの座標（２０万分の１の地図の尺度に基づく座標）が含まれる次の尺度（３万分の１）の地域地図フォルダ６ｂを引き当て、このフォルダ６ｂに保存されている前述の座標を有する地図フィル（３万分の１）を引き当てる。そして、求めた座標を中心にして、この３万分の１の地図を画面に表示させる。
【００４２】
また、３万分の１の地図を表示しているときに、さらにクリック回数が２回のときは、表示している画面（３万分の１）の尺度に基づいて、その画面上におけるカーソルの座標を求め、この座標が含む次の解像度（１万分の１）の地域地図フォルダ６ｃを引き当て、このフォルダ６ｂに保存されている前述の座標を有する地図（１万分の１）を引き当てる。そして、求めた座標を中心にした１万分の１の地域地図を表示させる。
【００４３】
また、注意エリア出力部１５は、１万分の１の地図を表示させたときに、メニューリスト１６から土砂災害（特別）警戒区域（土石流、崖崩れ、地滑り）の項目を抽出して、これをサブ画面として表示させる（図１２参照）。
【００４４】
そして、このサブ画面の項目が選択されたときに、土石流危険渓流区域、がけくずれ危険個所区域、地滑り危険区域等の項目を前述のサブ画面に追加し（図１３参照）、追加した項目が選択したときに、土石流危険渓流区域、がけくずれ危険個所区域、地滑り危険区域に対応する軌跡領域、色濃度を抽出して図１３に示すように表示させている（図１４参照）。
【００４５】
つまり、法律上、定められたエリアとそれまでの調査で危険だとされているエリア（危険個所）とを区別するために、データの表示を２段階としている。
【００４６】
一般には、法律上定められている土砂災害（特別）区域しかメニューにでてこない、さらに、土砂災害（特別）警戒区域が表示されてから、初めて危険個所が選択できるメニュー画面に工夫している。
【００４７】
これによって、関係市民がまずは法的な土砂災害（特別）警戒区域を確認し、されてに他にも危険個所が付近にあることを把握するという流れに誘導することができるようにしている。
【００４８】
航空写真読出部１０ｂは、１万分の１の地図が表示されているかどうかを判断している。そして、１万分の１の地図が表示されていないときは、写真ボタン（図示せず）を使用不可にさせるコマンドをスケール表示部１３に出力する。
【００４９】
また、１万分１の地図を表示させているときには、写真ボタンを使用許可状態にさせるコマンドをスケール表示部１３に出力する。
【００５０】
そして、１万分１の地図を表示させているときに、写真ボタンが選択されたときは、画面に表示させている１万分の１の地図の地域（フォルダ）を判断し、この地域にリンク付けされているオルソフォト画像を画面に表示させる。
【００５１】
地図画像すかし部１１ａは、スケール表示部１３の状況を監視し、地図ボタン１３ａが選択され、スケール１３ｂのレバー１３ｃが移動させられると、この移動量を画素の濃度値として読み込み、この濃度値に従って地図のラスターデータの色濃度を薄くする。１００％の場合は、地図読込部１０ａで読み込んだ地図の濃度値で表示する。
【００５２】
写真画像すかし部１１ｂは、スケール表示部１３の状況を監視及び地図読出部１０ａが表示した地図の尺度を監視し、１万分の１の地図が表示されている場合は、写真ボタン１３ｄが選択され、スケール１３ｂのレバー１３ｃが移動させられると、この移動量を画素の濃度値として読み込み、この濃度値に従って写真のラスターデータの色濃度を薄くする。１００％の場合は、そのままの濃度値で表示する。
【００５３】
また、注意エリア出力部１５には、切換部２１、ライン生成部２２、網掛部２３、ハッチ部２４が接続されている。
【００５４】
注意エリア出力部１５が地域名に対応する注意エリアを読み込み、これを表示している地図の尺度又は写真の解像度に基づいて拡大して地図又は写真に重ね表示させるときに、切換部２１は、警戒区域（土砂災害特別警戒区域、土砂災害警戒区域）を、操作者によって設定された表示種類（網掛け、ライン、ハッチ）に該当する処理を行うライン生成部２２、網掛け部２３又はハッチ部２４に出力して、この画像データを画面の地図、写真上に重ね表示させる。
【００５５】
すなわち、図７に示すように、警戒区域（土砂災害特別警戒区域、土砂災害警戒区域）は、ラインで示されたり、あるいは網掛けされたり、ハッチングされて表示される。
【００５６】
さらに、図４に示すように拡大縮小部２６を備えている。この拡大縮小部２６は、スケール表示部１３の拡大縮小ボタンの選択で拡大、縮小する（地図、写真、地図と写真）。例えば、図８に示すように、１／５０００分に縮小し、拡大が選択されたときは、１／１万に拡大する。
【００５７】
従って、本記憶媒体１をパソコンにインストールした場合は、図９に示すように、写真（オルソフォト）上に各種の注意エリアが色で表示され、写真の濃度を薄くすると地図が表示されることになる。
【００５８】
そして、写真は１／１万の解像度でありので、個別の家屋が警戒区域にかかっているかが明確にわからないので、ユーザに不安感を与えないことになる。
【００５９】
なお、上記実施の形態では、警戒区域の輪郭をはっきりと示したが、図１０に示すように、輪郭の箇所を薄く表示するようにしてもよい。これは、ハッチ部２４に輪郭の画素濃度を変更できる輪郭色変更部（図示せず）を接続し、この輪郭変更部が輪郭の画素（５ｍ〜１０ｍの範囲の画素数）を段階的に変更する数値にする（図１０の（ｃ）を参照）。
【００６０】
さらに、上記実施の形態では、カーソル位置の座標を含む地図を選択して表示させたが、１／２０万の地図に、１つの１／３万の地図をリンク付けし、この１／３万の地図に１つの１／１万の地図をリンク付けして、１／１万の地図に１つの写真をリンク付けしてもよい。
【００６１】
このようにすると、１／２０万の地図を表示したときにクリック数が２回ですぐに１／３万の地図が表示され、１／３万の地図を表示しているときに、クリック数が２回で１／１万の地図が表示される。
【００６２】
ここで、上記の地図読出部１０ａ、航空写真読出部１０ｂ及びカーソル移動にともなう画像の移動について図１１を用いて説明を補充する。
【００６３】
図１１に示すように、オルソフォト画像及び１／１万の地図を読み出して画面に表示するには、表示ウィンドウ３０を用いて表示する。この表示ウィンドウ３０は、１／１万の地図、オルソフォト画像がそれぞれＲａｋｍ×Ｒｂｋｍの範囲をカバーしているとすると、この範囲より小さな範囲（ｒａｋｍ×ｒｂｋｍ＜Ｒａｋｍ×Ｒｂｋｍ）を表示画像として見せるものである。すなわち、オルソフォト画像又は１／１万の地図のｒａｋｍ×ｒｂｋｍの範囲のみの画像データ群を透過させる。
【００６４】
また、この表示ウインドウ３０は、表示ウインドウ移動部３１によって、オルソフォト画像又は１／１万の地図が格納されているメモリ領域を移動する。すなわち、表示ウインドウ移動部３１は、画面のカーソル位置が尺度又は解像度に基づく座標に変換されると、この座標を入力し、該座標をオルソフォト画像又は１／１万の地図を記憶しているメモリの領域のアドレスを求め、このアドレス領域に表示ウインドウ３０を移動させて、表示ウインドウでオルソフォト画像又は１／１万の地図の画像データを読み込み。
【００６５】
このオルソフォト画像又は１／１万の地図の画像データは、解凍部３２によって圧縮（ＭＰＥＧ）が解凍されて、すかし部に出力されて、濃度値が例えば１０％、５０％、７０％に変換されて表示部に出力されている。
【００６６】
すなわち、本実施の形態のシステムは、これまでに一般ユーザが容易にみることができない行政情報に基づく災害危険エリアの情報公開を実現したものであり、エリアの表示方法についても行政担当者からの意見に基づいている。このため、住民に恐怖感を与えずに防災意識を高めさせることになっている。
【００６７】
例えば、行政資料を閲覧させたり、高い防災意識を持つように誘導しなければならないので、基本的には、背景地図及びオルソフォトの表示方法としては、危険なエリアを概観できるように押さえている。本実施の形態では、地図は家屋形状の入っていない画面上１／１万図を使用してオルソフォト画像上で家屋を判別させているが、１軒１軒の家屋がぼんやり判別できる程度（屋根はわかるが軒端等は不明確な画面上２．５ｍの解像度）に画質を落として表示させている。つまり、プライバシーの問題への対応を考慮している。
【００６８】
なお、上記実施の形態では、砂防関連情報に関わる注意エリアを表示するとしたが、公害、スモック、電界強度等のエリアを色別表示させてもよい。
【００６９】
また、画面のオルソフォト画像上で所定の家屋同士（自分の家、学校）を指定すると、この家屋同士を結ぶ最短ルートを計算して画面上に表示し、距離値も計算表示する機能を有してもよい。
【図面の簡単な説明】
【００７０】
【図１】本実施の形態の記憶媒体のプログラムの概略構成図である。
【図２】地図画面の推移を説明する説明図である。
【図３】本実施の形態によるモーフィングを説明する説明図である。
【図４】図１の砂防関連情報の表示のためのプログラムの詳細構成図である。
【図５】本実施の形態のスケールバー（ツールボックス）を説明する説明図である。
【図６】本実施の形態の各地図とオルソフォト画像のリンク構造を説明する説明図である。
【図７】網掛け、ライン、ハッチを説明する説明図である。
【図８】拡大、縮小を説明する説明図である。
【図９】本実施の形態のオルソ画像、注意エリアの重ね表示を説明する説明図である。
【図１０】本実施の形態の他の実施の形態を説明する説明図である。
【図１１】地図読出部１０ａ、航空写真読出部１０ｂの補充説明図である。
【図１２】注意エリアの段階表示を説明する説明図である。
【図１３】注意エリアの段階表示を説明する説明図である。
【図１４】注意エリアの段階表示を説明する説明図である。
【符号の説明】
【００７１】
５  大地図フォルダ５
６ａ  １／２０万地域地図フォルダ
６ｂ  １／３万地域地図フォルダ
６ｃ  １／１万地域地図フォルダ
８  写真フォルダ
１０  地図・写真読出部
１０ａ  地図読出部
１０ｂ  航空写真読出部
１１  すかし部
１２  色濃度補正部  
１３  スケール表示部
１５  注意エリア出力部
１９  座標変換部
【図１】
2005221883.tif 000003
【図２】
2005221883.tif 000004
【図３】
2005221883.tif 000005
【図４】
2005221883.tif 000006
【図５】
2005221883.tif 000007
【図６】
2005221883.tif 000008
【図７】
2005221883.tif 000009
【図８】
2005221883.tif 000010
【図９】
2005221883.tif 000011
【図１０】
2005221883.tif 000012
【図１１】
2005221883.tif 000013
【図１２】
2005221883.tif 000014
【図１３】
2005221883.tif 000015
【図１４】
2005221883.tif 000016